(57)【要約】【課題】標準プリントフォーマットにおいて、プリントされる写真の構図を撮影者がより大きく支配できるようにするのに便利な方法を提供する。【解決手段】デジタルカメラにより、撮影者は写真に用いられるアスペクト比、一般的には標準写真プリントフォーマットのアスペクト比を指定することができる。アスペクト比は、どの標準フォーマットを用いるかを示すことによって任意選択的に指定されることができる。アスペクト比は、数値により任意選択的に指定されることもできる。カメラは、所望のアスペクト比に合わせるようにそのプレビュー画像を任意選択的に変更することができる。得られる写真は、保存される前に所望のアスペクト比に任意選択的にクロップすることができる。得られる写真は、クロップしていないサイズで任意選択的に保存され、その画像とともにアスペクト比およびクロップ情報がメタデータとして保存されることができる。【選択図】図３
2005198318.tif 000002
【特許請求の範囲】
【請求項１】
撮影したデジタル写真が生成されるべきアスペクト比の指定を可能にするユーザ・インターフェースを有するデジタルカメラであって、前記アスペクト比の指定は、標準写真プリントフォーマットのリストから標準写真プリントフォーマットを選択することによって行なわれる、デジタルカメラ。
【請求項２】
プレビューモードをさらに備え、該プレビューモードの際、デジタルカメラによって見られるシーンの一部が前記指定されたアスペクト比の範囲外となることを示す、請求項１に記載のデジタルカメラ。
【請求項３】
前記デジタルカメラによって見られるシーンの一部が、プレビュー画像のディスプレイにおいてグレイアウトとして前記一部を表示することによって、前記指定されたアスペクト比の範囲外であることを示す、請求項２に記載のデジタルカメラ。
【請求項４】
前記デジタル写真を前記指定されたアスペクト比にクロップし、前記結果として得られるクロップしたデジタル画像を保存する、請求項１に記載のデジタルカメラ。
【請求項５】
前記デジタル写真をクロップしていないサイズで保存し、該デジタル写真とともに少なくとも１つのアスペクト比の指定をメタデータとして保存する、請求項１に記載のデジタルカメラ。
【請求項６】
前記アスペクト比の指定が、前記デジタル写真が撮影された後で行なわれる、請求項１に記載のデジタルカメラ。
【請求項７】
撮影した写真が生成されるべき任意のアスペクト比の指定を可能にするように構成されたデジタルカメラ。
【請求項８】
デジタルカメラで撮影した写真が生成されるべきアスペクト比を該デジタルカメラのユーザに指定させることを可能にするように構成されたデジタルカメラのユーザ・インターフェースであって、前記アスペクト比は、標準写真プリントフォーマットを指定することによって指定される、デジタルカメラのユーザ・インターフェース。
【請求項９】
（ａ）標準写真プリントフォーマットの指定を受け取るステップと、
（ｂ）前記標準写真プリントフォーマットのアスペクト比を、デジタル写真がデジタルカメラにより生成されるべき指定されたアスペクト比として用いるステップと、
を含む、方法。
【請求項１０】
（ａ）前記デジタルカメラのディスプレイにプレビュー画像を表示するステップと、
（ｂ）前記プレビュー画像において、前記指定されたアスペクト比の範囲外にある前記プレビュー画像の一部を示すステップと、
をさらに含む、請求項９に記載の方法。
【発明の詳細な説明】
【技術分野】
【０００１】
本発明は、包括的に写真撮影に関する。
【背景技術】
【０００２】
写真撮影における一般的な問題は、カメラの画像領域のアスペクト比、すなわち横幅対縦幅の比が通常、いくつかの共通の写真プリントフォーマットのアスペクト比とは一致していないことから生じる。例えば、３５ミリフィルムカメラの画像領域は、横幅が３６ミリ、縦幅が２４ミリであり、よってアスペクト比は３６：２４、すなわち１．５：１となる。デジタルカメラによっては、アスペクト比が１．５：１の画像領域を有するものもある。しかしながら、８×１０インチ（約２０．３×２５．４ｃｍ）のプリントは、アスペクト比が１０：８、すなわち１．２５：１しかない。アスペクト比が１．５：１のカメラで撮影した写真が８×１０インチの用紙でプリントされる場合、８インチの縦幅に拡大されたカメラの画像領域は１２インチ（約３０．５ｃｍ）の横幅となるため、通常、画像の六分の一が削られる。
【０００３】
ほとんどの一般的な撮影者は、高度に自動化した商業プリントラボにより写真のプリントをしてもらうため、写真をどのようにプリントするかをほとんど支配することができない。上記の例では、撮影者は、利用可能な画像のどの６分の１を削るかを指定して後の残りを８×１０インチのプリント用紙に合わせるようにする余地がなく、自動化プリントラボが行った選択にがっかりする場合もある。
【０００４】
このような問題を回避する既存の方法は満足のゆくものではない。場合によっては、撮影者は、カメラと同じアスペクト比を有する標準プリントフォーマットを選択することもできる。例えば、４×６インチ（約１０．２×１５．２ｃｍ）のプリントは、アスペクト比が１．５：１のカメラで撮影される写真に対応する。しかしながら、このことは通常、撮影者に１つのプリントサイズで撮影することに制限することになり、さらには不可能である場合もある。例えば、多くのデジタルカメラは、アスペクト比が４：３であり、この比はいずれの標準プリントフォーマットとも一致しない。
【０００５】
撮影者は、実際に必要とされるよりも広い視野を含むように写真のすべての構図を決め、その後、デジタル撮像装置を用いて写真を所望のアスペクト比にクロップすることができる。しかしながら、これには、撮影者がその構図を変更することを覚えている必要があり、広範に及ぶ、退屈な場合が多い人手の介入が必要となり、写真の解像度を損いかねない。
【０００６】
いくつかのデジタルカメラでは、撮影者がアスペクト比を３：２〜４：３の間で選択することができるが、これらの選択もやはり写真の通常の使用には対応しない。
【０００７】
写真プリントラボおよび家庭用デジタル写真ソフトウェアによっては、フル画像領域を任意の標準サイズの用紙上にプリントすることができ、用紙の最も限られた寸法に合わせるように写真をスケーリングし、用紙の他方の寸法では、プリントされない帯域を単に縁に残しておく。しかしながら、得られるプリントには通常、１つまたは２つの縁に白スジがあり、そのようなプリントは異常であり、不快なものである場合がある。
【発明の開示】
【発明が解決しようとする課題】
【０００８】
標準プリントフォーマットにおいて、プリントされる写真の構図を撮影者がより大きく支配できるようにするのに便利な方法が必要とされている。
【課題を解決するための手段】
【０００９】
デジタルカメラにより、撮影者は写真に用いられるアスペクト比、一般的には標準写真プリントフォーマットのアスペクト比を指定することができる。アスペクト比は、どの標準フォーマットを用いるかを示すことによって任意選択的に指定されることができる。アスペクト比は、数値により任意選択的に指定されることもできる。カメラは、所望のアスペクト比に合わせるようにそのプレビュー画像を任意選択的に変更することができる。得られる写真は、保存される前に所望のアスペクト比に任意選択的にクロップすることができる。得られる写真は、クロップしていないサイズで任意選択的に保存され、その画像とともにアスペクト比およびクロップ情報がメタデータとして保存されることができる。
【発明を実施するための最良の形態】
【００１０】
図１は、デジタルカメラの簡略ブロック図を示す。レンズ１０１がシーン（図示せず）から光を集める。レンズは、光の方向を変え、この方向を変えられた光１０２が電子アレイ光センサ１０３上にシーンの画像を形成するようにする。電子アレイ光センサ１０３は、電荷結合素子（ＣＣＤ）センサ、アクティブ画素相補型金属酸化膜半導体（ＣＭＯＳ）センサ、または別の種類のセンサとすることができる。電子アレイ光センサ１０３からの画像データ１０４は、論理ユニット１１０に送信される。論理ユニットは、マイクロプロセッサ、デジタル信号プロセッサ、１つまたは複数の特定用途向け集積回路（ＡＳＩＣ）、またはこれらの何らかの組み合わせを含んでもよく、制御信号１０５を用いて電子アレイ光センサ１０３の動作を制御する。論理ユニット１１０はまた、制御信号１１３を用いてレンズ１０１の動作を制御し得る。論理ユニット１１０はまた、例えばデジタル写真に画像圧縮法を施すことを含め、様々な方法でデジタル写真を処理し得る。カメラは、シーンに光１０７を供給するストロボ１０６を備えていてもよい。ストロボ１０６は、ストロボ電子回路１０８により制御されることができ、ストロボ電子回路１０８は、論理ユニット１１０により制御される。
【００１１】
デジタルカメラはまた、撮影したデジタル写真を比較的長期間にわたり保存するための不揮発性メモリを含み得る記憶装置１１１を備える。記憶装置の一部または全ては、論理ユニット１１０の一部として組み込まれることができる。例えば、論理ユニットは、不揮発性の書き換え可能な半導体メモリの形態の何らかのフラッシュメモリを含み得る。記憶装置１１１はまた、ランダム・アクセス・メモリ（ＲＡＭ）、リード・オンリー・メモリ（ＲＯＭ）、電気的に消去可能なプログラマブル・リード・オンリー・メモリ（ＥＥＰＲＯＭ）、または他の種類のメモリを含み得る。論理ユニット１１０は、中間の演算結果、実行可能なマイクロプロセッサ命令、構成情報等を保持するために、記憶装置１１１の一部を含むメモリを使用することができる。記憶装置１１１の少なくとも一部は、デジタル写真の比較的長期にわたる保存のために使用される。
【００１２】
デジタル写真は、撮影されるシーンの位置に対応する数値のセットである。通常、数値は、対応するシーンの位置の輝度を示し、色情報も示すことができる。デジタル写真を保持するファイルは通常、画像のサイズ、数値のデータフォーマット、および他の記述情報を記述するヘッダ情報を有する。デジタル写真の画像データは、画像情報をわずかに損失してまたは全く損失せずに圧縮することができ、その結果、記憶メモリが節約される。デジタル写真という語は、デジタル写真を保持するファイルを指す場合もある。デジタル写真はまた、単に「写真」と呼ぶ場合もある。
【００１３】
デジタルカメラはまた、様々な目的に使用されることができるディスプレイ１０９を備える。ディスプレイ１０９は通常、液晶ディスプレイであるが、ビューファインダマイクロディスプレイ、または別の種類のディスプレイであってもよい。ディスプレイ１０９は、プレビューモードで使用されることができるため、カメラは、写真の構図を決める際に撮影者を補助するためにシーンの描画を繰返し表示する。ディスプレイ１０９はまた、写真の質または構図をレビューするのに使用されることができる。ディスプレイ１０９はユーザコントロール１１２とともに用いられて、撮影者がカメラの機能を操作するのを補助する。例えば、選択肢がディスプレイ１０９上に表示され、ユーザはユーザコントロール１１２を用いてそれら選択肢から選択することができる。ユーザコントロール１１２は、ボタン、ダイアル、スイッチ、タッチパッド、または他の入力デバイスを含むことができる。
【００１４】
図２は、典型例の使用モードにあるデジタルカメラ２００を示す。写真の構図を決める際、カメラ２００はディスプレイ１０９上に、撮影すべきシーンのプレビュー画像を繰返し表示する。各プレビュー画像は、カメラの視野に含まれるシーンの一時的なデジタル写真である。これらのプレビュー画像は、「最終」写真の構図を決める際に撮影者の役に立ち、また、満足のゆく写真に必要とされる露光レベルを評価するために、レンズ１０１の合焦の助けとなるために、または他の目的のために、カメラ論理１１０により用いられることができる。プレビュー画像は通常、それらの表示、およびカメラ論理１１０により行なわれる任意の分析に必要とされる時間を超えてカメラにより保存されない。撮影者は、構図に満足している場合、シャッターレリーズボタン２０１を完全に作動させることによってカメラに最終写真を撮らせることができる。カメラは、シャッターレリーズボタン２０１の完全な作動と最終写真の撮影との間の時間中、他の自動機能を行なうことができる。最終写真は、以前に繰り返し写し出されたプレビュー画像とは対照的に、後で取り出すことができるカメラの記憶装置１１１内に保存される。最終画像は通常、ユーザにより確実に削除されるまで記憶装置１１１内にある。
【００１５】
図３は、本発明の一例の実施形態による、ユーザコントロールにより設定されているデジタルカメラ２００を示す。図３では、カメラ論理１１０がディスプレイ１０９上に選択メニューを表示している。撮影者は、例示的なコントロール３０２のようなユーザコントロールを用いて選択メニューから選択することができる。例示的なコントロール３０２は、米国Ｍａｔｓｕｓｈｉｔａ  Ｅｌｅｃｔｒｉｃ  Ｃｏｒｐｏｒａｔｉｏｎ（Ｓｅｃａｕｃｕｓ，  Ｎｅｗ Ｊｅｒｓｅｙ所在）から入手可能であるエッジドライブジョグエンコーダ（edge drive jog encoder）であり、デジタルカメラ２００のユーザ・インターフェースをナビゲートする際に、撮影者が論理１１０と対話することを可能にする。当業者は、他の種類のコントロールおよびユーザ・インターフェース表現が添付の特許請求の範囲内で使用されることができることを理解するであろう。
【００１６】
図３では、例として、撮影者が８×１０インチのプリントフォーマット（アスペクト比は１．２５：１である）と適合するアスペクト比で写真を撮影することを望んでいることを示している。このような選好がデジタルカメラに伝達されると、カメラはその選好を今後の写真撮影の際に使用するために保存する。
【００１７】
表１には、いくつかの標準写真プリントおよびそれらの公称アスペクト比が挙げられている。写真プリントの実際の寸法は、製造公差により幾分ばらつきがある場合がある。
【００１８】
【表１】
2005198318.tif 000003
【００１９】
図４Ａは、本発明の例示的な一実施形態によるプレビューモードにあるカメラを示す。図４Ａでは、カメラが論理１１０の制御下でディスプレイ１０９上にプレビュー画像を表示しており、一部が、指定されたアスペクト比の範囲外にあることが示されている。「指定されたアスペクト比の範囲外」という語は、本開示の目的のため、写真の一方の寸法、すなわち横幅または縦幅を変えずに指定されたアスペクト比に写真をクロップするプロセスにて切り取られる写真の部分を指す。図４Ａでは、カメラはプレビュー画像が十分に「グレイアウト」されており、その残りの部分はアスペクト比が１．２５：１であるようになっている。ディスプレイの一部のグレイアウトは、ディスプレイの一部が画像のコントラストを低くされて提示される、一般的なユーザ・インターフェース技法である。例示的なカメラセンサおよびディスプレイ１０９はアスペクト比が１．５：１であるため、グレイアウトされているプレビュー画像の部分はディスプレイ１０９の両端にある。図４Ａにおけるディスプレイは、目前の写真が８×１０インチのプリントとしてプリントされる場合、その構図が、写真の構図を決める際にディスプレイ１０９の全体が考慮されたときに見えたであろう程に満足できるものとはなり得ないことを表している。このような事前の表示により、写真を対象のプリントフォーマットに適した構図に構図を変更する機会が撮影者に与えられる。
【００２０】
要求されているアスペクト比の範囲外にある画像領域のグレイアウトは、そのような表示を行なうことができる１つの方式にすぎない。要求されたアスペクト比の範囲外の領域は、図４Ｂに示すように、プレビューモードでブラックアウトしてもよく、また図４Ｃに示すように、要求されたアスペクト比の境界を示す一組の線４０１をプレビュー画像に引くこともでき、また何らかの他の技法も用いることもできる。図４Ａにおけるアスペクト比表示は、所望の画像領域が、ディスプレイ１０９上に示されたプレビュー画像の中心に置かれていることを示す。あるいは、排除される領域の全てがプレビュー画像の片側からとられることができるか、または中間のどこかにある位置が選択されてもよい。
【００２１】
撮影者が最終写真を撮影すると、カメラはいくつかの方法のうちの１つで処理を続けることができる。
【００２２】
例示的な一実施形態では、カメラは指定されたアスペクト比に最終写真をクロップし、クロップした写真を保存する。クロップは、写真のサイズを縮小するため、通常１つまたは複数の縁に沿って写真の一部を切り取るプロセスである。クロップは、写真の縦幅のみまたは横幅のみをクロップする場合に、あるいは異なる比率で写真の縦幅および横幅をクロップする場合に写真のアスペクト比を変更することができる。デジタルカメラでは、本発明の例示的な一実施形態によれば、論理ユニット１１０が、記憶領域１１１のデジタル写真のデジタル値を再編成することによってクロップを行なう。
【００２３】
例えば、一般的な６メガピクセル電子アレイセンサは、横幅が３０００画素、縦幅が２０００画素であるネイティブ解像度であり、よって、アスペクト比が１．５：１となる画像を生成する。８×１０インチのプリントフォーマットに適合するアスペクト比をユーザが望んでいることを指示された、本発明の例示的な実施形態によるカメラは、デジタル写真の左縁または右縁、あるいは左縁および右縁の双方のいくつかの画素を排除して、横幅が２５００画素、縦幅が２０００画素であり、したがってアスペクト比が１．２５：１のデジタル写真を生成する。得られたクロップしたデジタル写真は次に、排除された画素を除き、保存されることができる。
【００２４】
多くのデジタルカメラは、カメラの視野全体を含む写真を生成するカメラオプションを設けているが、カメラのセンサのネイティブフォーマットよりも低い解像度でレンダリングされる（rendered）。例えば、上述の６メガピクセルセンサを用いるカメラにより、記憶スペースを保持するためにユーザは１５００×１０００画素等の種々の低い解像度で写真を生成させることができる。標準プリントフォーマットに対応するアスペクト比を達成するための選択的なクロップをこれらの低い解像度の写真にも行なうことができる。
【００２５】
別の例示的な実施形態では、カメラは、カメラのセンサ領域全体を含むデジタル写真（上述のように最大解像度または低減された解像度であってよい）を保存するだけでなく、デジタル写真ファイル中のメタデータとして所望のアスペクト比の撮影者の指示も保存する。例えば、最大解像度をとる上述した６メガピクセルセンサを備えるカメラを用いて、撮影者が８×１０インチのプリントフォーマットに適合するアスペクト比を望んでいることを示した場合、カメラは全体が３０００×２０００画素の写真を保存するが、２５００×２０００画素の写真の一部が８×１０インチのプリントを生成するために選択され得るという撮影者の指示も記録する。例として、この指示は、ＪＰＥＧファイルのコメントまたは「ＡＰＰ」セグメントに保存されることができるか、またはＴＩＦＦファイル内にタグデータとして保存されることができる。「Ｓｙｓｔｅｍ  ａｎｄ  ｍｅｔｈｏｄ  ｔｏ  ａｌｌｏｗ  ｕｎｄｏｉｎｇ  ｏｆ  ｃｅｒｔａｉｎ  ｄｉｇｉｔａｌ  ｉｍａｇｅ  ｍｏｄｉｆｉｃａｔｉｏｎｓ」と題する、本出願と譲受人が共通の、係属中の米国特許出願番号第１０／６８６，０８１号（その開示のすべては本明細書に援用される）は、これらのファイルフォーマットにメタデータを格納する方法を記載している。利用可能な画像の全体を保存することは、そうでなければ排除されたであろう画像情報を保持し、撮影者が後で他のプリントフォーマットを選択することを可能にすることができる。
【００２６】
さらに別の例示的な実施形態では、カメラは、カメラのセンサ領域全体を含むデジタル写真（前述したように最大解像度または低減された解像度であってよい）を保存し、次に、カメラのユーザコントロールを用いて、撮影者が写真をクロップできるようにするカメラ内のクロップ機能を行ない、その結果得られたクロップした写真は標準プリントフォーマットに適合する。
【００２７】
図５は、本発明のこの例示的な実施形態によるデジタルカメラを示す。図５では、カメラはカメラ内クロップモードに設定されている。ディスプレイは、写真が５×７インチ（約１２．７×１７．８ｃｍ）のプリントフォーマットに適合するアスペクト比にクロップされることをカメラが予め指示されていることを示している。選択矩形（selection rectangle）５０１が、以前に撮影されたシーン５０２の表現上に置かれている。いくつかのカメラコントロールが協働して作動してクロップを行なう。４方向ロッカースイッチ５０３により、ユーザはロッカースイッチの４つの方向矢印のいずれかを押すことでシーン表現に対して選択矩形を移動させることができる。エッジドライブジョグエンコーダ５０４により、ユーザは選択矩形のサイズを拡大または縮小させることができ、デジタルズーム機能の作用と同様の効果がもたらされる。ボタン５０５により、ユーザはクロップを行い、得られたクロップしたデジタル写真を保存することができる。ボタン５０６によりクロップ作業をキャンセルすることができ、保存された写真は変更されないままとなる。ボタン５０７は、異なるアスペクト比の選択肢をスクロールし、それに応じてカメラに選択矩形５０１のアスペクト比を変更させる。
【００２８】
このようなコントロールの組み合わせ例により、カメラのユーザは、以前に撮られた写真を任意のサポートされるプリントフォーマットに適合するアスペクト比にクロップし、写真のどの部分を用いて選択矩形を満たすかを選択することができる。カメラのユーザは、一般的な記号表示によるプリントフォーマットを選択することにより、適合するアスペクト比を便宜的に選択することができる。
【００２９】
上記の例示的な実施形態におけるように、カメラは、クロップした画像のみを保存することができ、またはメタデータとして保存されるクロップ情報とともに、最初の画像の全体を保存することができる。クロップ機能は、最大解像度写真および省スペースである低減された解像度で撮影された写真の場合も同様に十分に機能することができる。多数バージョンの写真を異なるアスペクト比で保存することができる、または最大解像度画像をメタデータクロップ情報の２つ以上の組とともに保存することができる。
【００３０】
さらに別の例示的な実施形態によれば、カメラのユーザは、カスタムまたは任意のアスペクト比を選択することができる。図６は、この機能のための例示的なユーザ・インターフェース構成を示す。図６では、カメラは、任意のアスクペクト比を選択するモードに設定されている。ディスプレイ１０９は、現時点で選択されているアスペクト比（ディスプレイの例では２．００：１）を有する矩形を示している。カメラのユーザは、ロッカースイッチ５０３を用いて現時点で指定されているアスペクト比を増減することができる。例えば、ロッカースイッチ５０３の上向きの矢印部分を押すことにより、選択されているアスペクト比を０．０１単位で増大させることができ、カメラは、選択された比での外観を示すように矩形を再描画することができる。ボタン５０５および５０６により、ユーザは現時点での選択を保存するか、または指示されていることのある変更をキャンセルすることができる。
【００３１】
このようにして、カメラのユーザは、その数値によりアスペクト比を選択することができる。当然のことながら、ユーザは、標準写真プリントフォーマットに対応する数値を選択することができる。例えば、ユーザは、３．５×５インチ（約８．９×１２．７ｃｍ）の標準プリントフォーマットに非常に正確に対応する１．４３：１のアスペクト比を選択することができる。カメラのユーザは、正方形の写真フォーマットを示す１：１のアスペクト比を、または横幅が縦幅よりも短いアスペクト比であっても選択することができる。
【００３２】
このような例示的な実施形態の変形形態では、ユーザは、所望の写真について任意の横幅および任意の縦幅を選択することによって任意のアスペクト比を選択することができる。次に、カメラは、その結果得られるアスペクト比を計算するか、または指定された横幅および縦幅を単に用いて、適したクロップ境界（cropping boundaries）を計算することができる。横幅および縦幅は、インチ、センチメートル、または他の適した測定単位で指定されることができる。
【００３３】
カスタムアスペクト比がカメラに伝達されると、前述したようにそのアスペクト比をカメラが用いることができる。カメラは、そのプレビューモード表示を、選択されたアスペクト比の範囲内のシーンの部分のみの表示を用いて撮影者が写真の構図を決めることができるように変更することができる。結果として得られる最終写真は、保存される前に、選択されたアスペクト比にクロップされてもよく、あるいは、クロップ情報を、カメラのセンサの領域全体を含む保存される写真とともにメタデータとして保存してもよい。選択されたアスペクト比は、最大解像度写真または低減された解像度の写真に適用されることができる。
【００３４】
カメラのユーザコントロールを用いてアスペクト比を選択する代替として、カメラのユーザ・インターフェースの少なくとも一部がカメラの外部のコンピュータまたは他の機器に提供されてもよい。図７は、このような構成を示している。この構成では、ユーザは外部機器７００を用いてカメラが写真を生成すべきアスペクト比を選択し、選択されたアスペクト比が通信リンク７０１によりカメラに伝達される。通信リンクは、ＵＳＢインターフェース、光リンク、無線リンク、または他の種類の通信リンクとすることができる。この構成は、カメラのユーザに、外部のコンピュータまたは他の機器のより大きくより好都合なディスプレイを用いて多数のカメラ設定（アスペクト比を含む）を構成させるという利点を有する。
【００３５】
本発明の上記の説明は、例示および説明の目的で提示された。包括的であること、または本発明を本開示の厳密な形態に限定することは意図されず、上記の教示に照らして他の修正や変更が可能である。本実施形態は、本発明の原理および実際の用途を最もよく説明し、それにより当業者が想定される特定の使用に適した種々の実施形態および種々の変更において本発明を最もよく利用することを可能にするために選択および説明してきた。従来技術により制限されない限り、添付の特許請求の範囲は、本発明の他の代替的な実施形態を含むように解釈される。
【図面の簡単な説明】
【００３６】
【図１】デジタルカメラの簡略ブロック図である。
【図２】典型例の使用モードでのデジタルカメラを示す図である。
【図３】本発明の一例の実施形態による、ユーザコントロールにより設定されているデジタルカメラを示す図である。
【図４Ａ】本発明の一例の実施形態による、第１のプレビューモードでのカメラを示す図である。
【図４Ｂ】本発明の一例の実施形態による、第２のプレビューモードでのカメラを示す図である。
【図４Ｃ】本発明の一例の実施形態による、第３のプレビューモードでのカメラを示す図である。
【図５】本発明の別の例の実施形態によるデジタルカメラを示す図である。
【図６】任意のアスペクト比を選択するモードに設定されたカメラを示す図である。
【図７】設定のために外部機器に接続されたカメラを示す図である。
【符号の説明】
【００３７】
１０９：ディスプレイ
２００：デジタルカメラ
３０２：コントロール
【図１】
2005198318.tif 000004
【図２】
2005198318.tif 000005
【図３】
2005198318.tif 000006
【図４Ａ】
2005198318.tif 000007
【図４Ｂ】
2005198318.tif 000008
【図４Ｃ】
2005198318.tif 000009
【図５】
2005198318.tif 000010
【図６】
2005198318.tif 000011
【図７】
2005198318.tif 000012